(57)【要約】【課題】通信事業者とのモデムカードによる電話加入権契約で当該モデムカードを用いて他の端末での公衆無線ネットワークの利用を可能とし、かつ、位置情報機能を提供可能とする。【解決手段】本モデムカード１０は、当該モデムカード１０が接続される端末との間で信号の入出力を行うインタフェース部１２と、モデムカードによる通話やデータ通信などの使用権の認証を行う認証部１５と、モデムカード１０の位置情報を提供する位置情報部１６と、所要の通信を行う通信部１７とを備えた構成。【選択図】図１
2008017440.tif 000002
【特許請求の範囲】
【請求項１】
当該モデムカードが接続される１または複数の端末との間で、規格化された信号の入出力を行うインタフェース部と、
当該モデムカードによる通話やデータ通信などの使用権の認証を行う認証部と、
当該モデムカードの位置情報を提供する位置情報部と、
所要の通信を行う通信部と、
を備えたことを特徴とするモデムカード。
【請求項２】
上記端末の保全した機能に基づく情報を記憶し、かつ、その記憶状態を維持する電源を備えた、ことを特徴とする請求項１に記載のモデムカード。
【請求項３】
上記端末の保全した機能に基づく情報とは、音声通信による着信状態である、ことを特徴とする請求項２に記載のモデムカード。
【請求項４】
音声通信の着信記録を記憶する機能を備えた、ことを特徴とする請求項１に記載のモデムカード。
【請求項５】
上記端末側の所定の手続きを経ずに当該端末から脱抜操作されたことを検知し、この検知に基づき所定の機関に通知する機能を備えた、ことを特徴とする請求項１に記載のモデムカード。
【請求項６】
上記認証をＳＩＭにより行う、ことを特徴とする請求項１に記載のモデムカード。
【請求項７】
上記位置情報をＧＰＳにより得る、ことを特徴とする請求項１に記載のモデムカード。
【請求項８】
ＳＤＩＯで構成した、ことを特徴とする請求項１に記載のモデムカード。
【請求項９】
上記端末のアプリケーションで用いるデータを格納する大容量メモリを備えた、ことを特徴とする請求項１記載のモデムカード。
【請求項１０】
上記端末のアプリケーションで用いるデータを、上記通信部を用いてインターネットからダウンロードする機能を備えた、ことを特徴とする請求項９記載のモデムカード。
【請求項１１】
上記端末のアプリケーションで用いるデータは、ＣＤ−ＲＯＭ等の外部記録媒体またはインターネットから任意の機器に取り込まれたものを、該モデムカードの前記大容量メモリに転送したものであることを特徴とする請求項９記載のモデムカード。
【請求項１２】
上記大容量メモリ内のデータは、地図情報、観光スポット情報、交通機関運行情報、ショッピング情報のいずれかを含む、ことを特徴とする請求項９記載のモデムカード。
【請求項１３】
上記位置情報部が提供する位置情報に依拠した上記大容量メモリ内のデータを、上記端末に転送する機能を備えた、ことを特徴とする請求項９記載のモデムカード。
【請求項１４】
通信事業者との１回線契約で公衆無線ネットワーク通信するモデムカードに請求項１ないし１３のいずれかに記載のモデムカードを用いるとともに、該モデムカードを複数の端末で公衆無線ネットワーク通信するためのモデムカードとして共通使用する、ことを特徴とするモデムカード利用システム。
【請求項１５】
請求項１４に記載のモデムカード利用システムで請求項１ないし１３のいずれかに記載のモデムカードを接続して使用することができるカードスロットを備えた、ことを特徴とする端末。
【請求項１６】
請求項９ないし１３記載のモデムカードの上記大容量メモリに格納されたデータから、ユーザの指示により任意のデータを選択し、上記端末のアプリケーションにおけるコンテンツに付記する手段を備えた、ことを特徴とする請求項９に記載のモデムカード利用システム。
【発明の詳細な説明】
【技術分野】
【０００１】
本発明は、携帯電話端末等に装着（カードスロットへの挿入）することができるモデムカードおよびそれを用いたモデムカード利用システムおよび、携帯電話端末やアプリケーション機器端末等の端末に関するものである。
【背景技術】
【０００２】
ＧＳＭ(グローバル・システム・フォア・モバイル・コミュニケーション)方式やＦＯＭＡ（商標）などのＷ−ＣＤＭＡ方式の携帯電話システムでは、ＣＰＵ内蔵の１チップＩＣカードを加入者認証用のＳＩＭカードに利用している。この携帯電話端末では、ＳＩＭカードに加入者関連の情報が記憶されているので、携帯電話の機種を変更してもＳＩＭカードを差し替えることにより、直ちに、通信事業者と契約した内容に従った通信サービスの提供を受けることができる。すなわち、これらの携帯電話端末では、通話やデータ通信などを行う端末機能と、通信事業者が利用者に付与する使用権認証機能とが分離している。利用者は、携帯電話を購入する際には、携帯電話端末と、ＳＩＭカードを提供する通信事業者とを選択する。通信事業者はＳＩＭカードと呼ばれる、加入権情報（電話番号）を書き込んだＩＣカードを販売している。利用者は、通信事業者と契約の上、ＳＩＭカードの提供を受ける。利用者は提供を受けたＳＩＭカードを、通信事業者とは無関係に購入した携帯電話端末に装着することにより、携帯電話端末の使用が可能となる。別の携帯電話端末を利用する場合は、当該別の携帯電話端末にＳＩＭカードを差し替えることにより同じ電話番号で当該別の携帯電話端末を利用できる。
【発明の開示】
【発明が解決しようとする課題】
【０００３】
しかしながら、ＳＩＭカードは同じ電話番号で複数の携帯電話端末を利用することができるが、当該携帯電話以外の端末に利用するためには現状、それらの端末に必要な、たとえばＰＣＭＣＩＡカードやコンパクトフラッシュ（登録商標）カードを購入しＳＩＭカードを装着する必要があった。例えば、ノートＰＣ（パーソナル・コンピュータ）やＰＤＡ（パーソナル・デジタル・アシスタント）、等の各種情報端末や各種情報機器において、公衆無線ネットワークを介して音声通信やデータ通信が行われている。この場合、携帯電話ではＰＣＭＣＩＡカードやコンパクトフラッシュ（登録商標）カードが装着できることはほとんどの場合はなく、ＳＩＭカードのみ装着しなおす必要があり、利用者にとっては非常に不便なものにならざるを得ない。この不便を回避するためには、利用している契約とは異なる新たな契約を通信事業者と結ぶ必要があり、電話番号も異なるものとなる。このように、携帯電話端末とそれ以外の端末とで、個別に通信事業者と契約し、その契約数に応じて電話番号も増え、管理が煩雑でコスト面でも負担が増大するという問題があった。
【０００４】
また、最近の携帯電話端末においては、位置情報機能を搭載したものが提供されている。この位置情報には、端末利用者ないしは端末所持者の所在位置を含むことができる。しかし、携帯電話端末以外の他の端末においては、位置情報機能を搭載したものは少なく、また位置情報機能を搭載することで、端末のコスト高、大型化等の問題が生じる。また、複数の端末を同時に所持している場合に各端末すべてに位置情報機能を備えることは機能が重複する。
【０００５】
さらに、従来のカーナビゲーションシステムや携帯電話に搭載の、ＧＰＳもしくは基地局連携により位置情報を取得し、位置情報に関連付けられた地域情報(エリア地図、レストラン、ショッピング情報等)を提供するシステムでは、ＤＶＤやＣＤ等の外部記録媒体もしくはインターネットを介してあらかじめ端末内のハードディスクに情報を取り込むか、外部記録媒体から逐次情報を読み出しながら、それらを端末のアプリケーションで用いている。この端末内のハードディスクに記録された情報を他の端末でも利用するためには、別途有線もしくは無線にてデータを転送する必要があった。この場合、双方の端末間でのデータ転送連携などの操作が必要になり、さらにデータを保持する端末と転送先の端末とを近傍に置く必要があるなど、ユーザから見て煩雑かつ携帯性を損なう構成をとらざるを得なかった。
【０００６】
そこで、本出願人は、かかる点に鑑みて、通信事業者との１回線契約で、携帯電話端末とそれ以外の端末とで音声通信ならびにデータ通信が行え、管理が簡単で安価であり、また位置情報機能を、携帯電話端末を含め、アプリケーション機器等の端末自体に搭載することを避けて当該端末の小型化を確保し、当該端末の使用に際しては、位置情報機能を安価に提供できるように鋭意研究を重ねた。
【課題を解決するための手段】
【０００７】
本発明によるモデムカードは、当該モデムカードが接続される１または複数の端末との間で、規格化された信号の入出力を行うインタフェース部と、当該モデムカードによる通話やデータ通信などの使用権の認証を行う認証部と、当該モデムカードの位置情報を提供する位置情報部と、所要の通信を行う通信部と、を備えたことを特徴とするものである。
【０００８】
上記位置情報とは、当該モデムカードが所在する位置の情報のことである。
【０００９】
認証部はＳＩＭで構成することができる。ＳＩＭ情報は、利用者の契約情報として、電話番号などの通信接続情報、ＧＳＭネットワークへの接続情報、暗証番号等の情報である。これら情報を認証する。
【００１０】
ＳＩＭ以外に、ＵＩＭ（ユーザー・アイデンティティ・モジュール）やＩＣカードでもよい。このＵＩＭカードはＵＳＩＭカードとも呼ばれ、ＧＳＭ携帯電話機で使用されるＳＩＭカードをベースにして拡張された第三世代携帯電話用カードであり、特に区別せずにＳＩＭカードと呼ばれることがある。ＵＩＭカードには電話番号等の個人情報が記載されている。ＦＯＭＡのＦＯＭＡカードやその他のカードで使用される。
【００１１】
上記端末は、特に限定しないが例えば情報携帯端末に加えて、デスクトップ型コンピュータ、ノート型コンピュータ、携帯電話機、オーディオ装置、家電装置等のアプリケーション機器がある。
【００１２】
位置情報部は、これまで考案されてきた、携帯電話の基地局からの電波を利用する３点測位システムや、双曲線航法システム、ＲＦＩＤを利用するシステム、ＷｉＦｉ電波を利用するものなども含め位置情報を提供することができるものであれば特に限定しないが、好ましくはＧＰＳで構成することができる。ＧＰＳは人工衛星を利用して自分が地球上のどこにいるのかを正確に割り出すシステムである。位置情報部は、ＧＰＳ以外に、ロシアの全地球的航法衛星システム（ＧＬＯＮＡＳＳ）および欧州のＧａｌｉｌｅｏシステムといった衛星利用測位システム（ＳＰＳ）で構成することができる。
【００１３】
モデムカードはＳＤＩＯ（セキュリティ・デジタル・インプット・アウトプット）により構成することができる。ＳＤ（セキュリティ・デジタル）メモリカードは音楽のオンライン配信に適した著作権保護機能を内蔵したメモリカードである。ＳＤＩＯは小型のメモリカード規格であるＳＤカードに、さまざまな機能を格納したものである。ＳＤＩＯは、ＳＤ、ミニＳＤのいずれであってもよく、ＳＤＩＯ以外に、ＰＣカード（ピーシー・カード）、ＣＦ（コンパクト・フラッシュ）等の半導体メモリカードの規格でもよい。
【００１４】
本発明のモデムカードによると、インタフェース部において端末との間で規格化された信号の入出力を行うので、該モデムカードを複数の端末において共通して利用することが可能となり、各端末に装着した状態で認証部による利用者の認証を行って音声やデータ等の通信が可能となる。すなわち、該モデムカードによる通信事業者との１回線契約で、複数の端末で音声やデータ等の通信が行えるようになる。また、モデムカードに位置情報部が内蔵されており、該モデムカードを端末器に装着することで、該端末で位置情報を得ることができるようになる。
【００１５】
上記本発明のモデムカードにおいて、さらに端末の保全した機能に基づく情報を記憶する記憶部と、前記記憶部の記憶状態を維持する電源部とを備えたものでもよい。
【００１６】
端末の保全した機能に基づく情報は、例えば、音声通信による着信状態である。
【００１７】
このように構成することで、上記本発明のモデムカードの作用に加え、例えば、モデムカードが音声通信に対応していない端末に装着されている場合において、該モデムカードにて音声通信による着信状態を維持することが可能となり、後に音声通信可能な端末に装着することで、維持された音声通信による着信状態に基づいて、音声通信による会話を行うことができる。
【００１８】
また、上記本発明のモデムカードにおいて、さらに音声通信の着信記録を記憶する記憶部を備えたものでもよい。
【００１９】
このように構成することで、上記本発明のモデムカードの作用に加え、音声通信に対応していない、あるいは即座に着信応答ができない場合でも、着信記録を記憶しておくことで、後に音声通信可能な端末に装着したり、あるいは応答が可能となるのを待って、記憶された着信記録に基づいて、折り返して通話を行うことができる。
【００２０】
また、上記本発明のモデムカードにおいて、さらに端末側の所定の手続きを経ずに脱抜きされたことを検知する検知部と、該異常検知に基づき所定の機関に通知を行う異常通知部とを備えたものでもよい。
【００２１】
このように構成することで、上記本発明のモデムカードの作用に加え、モデムカードが端末側の所定の手続きを経ずに脱抜きされたときに、該異常を検知して所定の機関に通知を行うので、盗難等による被害を未然に防止することができる。
【００２２】
また、上記本発明のモデムカードにおいて、さらに端末側のアプリケーションで用いるためのデータを格納する大容量メモリを備えたものでもよい。
【００２３】
このように構成することで、上記本発明のモデムカードの作用に加え、複数の端末で共通利用可能な情報をモデムカードに記録し、カードの差し替えによって各端末で情報を共通利用できるため、端末間での煩雑なデータ転送が不要になり、また、データを保持する端末と転送先の端末とを近傍に置く必要がなくなるため、ユーザの利便性が向上する。
【００２４】
また、上記本発明のモデムカードにおいて、端末のアプリケーションで用いるデータは、モデムカードの通信部を介してインターネットからダウンロードされたものでもよい。
【００２５】
このように構成することで、上記本発明のモデムカードの作用に加え、モデムカードを他の機器と接続することなく、モデムカード自体に備えられた通信部を用いることにより端末側で用いるデータを取得することができる。
【００２６】
また、上記本発明のモデムカードにおいて、端末のアプリケーションで用いるデータは、ＣＤ−ＲＯＭ等の外部記録媒体またはインターネットから任意の機器に取り込まれたものを、該モデムカードの大容量メモリに転送したものであってもよい。
【００２７】
このように構成することで、上記本発明のモデムカードの作用に加え、例えば端末側で用いたい情報がＣＤ等の外部記録媒体にのみ格納されている場合などにも、モデムカードをＣＤ等の外部メディアから情報を読み込むことができる任意の機器（例えばＰＣ）を介して必要なデータをモデムカードに取得することができる。また、モデムカードの通信機能を用いず、ＰＣで予めインターネットからダウンロードした情報をモデムカードに転送することにより、データ通信にかかる料金を安くすることもできる。
【００２８】
また、上記本発明のモデムカードにおいて、大容量メモリ内のデータは、地図情報、観光スポット情報、交通機関運行情報、ショッピング情報等である。
【００２９】
このように構成することで、上記本発明のモデムカードにおいて、旅行先などで有用な情報をユーザに提供することができる。
【００３０】
また、上記本発明のモデムカードにおいて、位置情報部が提供する位置情報に依拠した大容量メモリ内のデータを、端末側に転送するものであってもよい。
【００３１】
このように構成することで、上記本発明のモデムカードにおいて、大容量メモリモデムカードの所有者が存在する位置に基づいた情報を提供することができるため、ユーザの移動に従って任意の地点における有用な情報を提供することができる。さらには、デジタルカメラにおける写真などユーザ自らが製作するコンテンツに対し、前記任意の情報を組み合わせて端末内に記憶させることもできる。
【００３２】
本発明のモデムカードを用いたモデムカード利用システムは、モデムカードの大容量メモリに格納されたデータから、ユーザの指示により任意のデータを選択し、端末側のアプリケーションにおけるコンテンツに付記するものであってもよい。
【００３３】
本発明のモデムカードを用いたモデムカード利用システムによると、モデムカードの大容量メモリ内のデータのうち、端末側でユーザが表示したい任意の情報を選択して端末側に読み出し、さらに、端末側のモニタに再生中の画像にモデムカードから転送された文字情報を多重表示するなど、端末側のコンテンツにモデムカードから読み込んだ任意のデータを付記することができる。
【００３４】
本発明のモデムカードを用いたモデムカード利用システムは、通信事業者との１回線契約で公衆無線ネットワーク通信するモデムカードを用いるとともに、該モデムカードを複数の端末で公衆無線ネットワーク通信するためのモデムカードとして共通使用するものである。
【００３５】
本発明のモデムカードを用いたモデムカード利用システムによると、モデムカードによる通信事業者との１回線契約で、複数の端末において、音声やデータ等の通信が可能となり、携帯電話端末の電話番号等の加入権情報の共通化による管理のし易さ、ならびに通信事業者との複数の契約に比べコストの低減を図ることができる。また、位置情報部を内蔵したモデムカードを装着することで、コストの増大ならびに大型化を招くことなく、各端末において位置情報を簡単に提供することができる。
【００３６】
本発明の端末は、モデムカードを接続して使用することができるカードスロットを備えたものである。
【発明の効果】
【００３７】
本発明によれば、通信事業者との１回線契約で、携帯電話端末とそれ以外の端末とで、音声通信ならびにデータ通信が可能となり、電話番号等の加入権情報の管理が容易となり、しかも通信事業者との１回線契約のみで済み安価である。また、モデムカードに位置情報部が内蔵されており、携帯電話端末以外の端末においても、端末の小型化を維持しながら、なおかつ安価に位置情報機能を提供することができる。
【発明を実施するための最良の形態】
【００３８】
本発明の実施の形態を図１ないし図４に基づいて説明する。図１はモデムカードのブロック図、図２はモデムカードの部分詳細図、図３はモデムカードの破断斜視図、図４はモデムカードを用いたモデムカード利用システムの説明図である。
【００３９】
図１を参照して、実施の形態のモデムカード１０は、アプリケーション機器（端末）のメモリカードスロットに挿入することが可能な平面視矩形形状をなし、メモリカードスロットに挿入される側である長手方向挿入端側に接続端子部１１を備える。
【００４０】
このメモリカードスロットを備えたアプリケーション機器は特に限定しないが例えば情報携帯端末、デスクトップ型コンピュータ、ノート型コンピュータ、携帯電話機、オーディオ装置、家電装置、等がある。
【００４１】
モデムカード１０はその接続端子部１１にアプリケーション機器のカードスロット内部の多数の接点に接続される多数の千鳥状２列に配置された接点を有する。
【００４２】
モデムカード１０は、主にワンチップマイコンにより構成されており、図１では、モデムカード１０としてワンチップマイコンを含めそれらの機能をブロックで表して理解に供している。
【００４３】
モデムカード１０は、デジタル信号インタフェース部１２と、電源制御部１３と、制御部１４と、利用者／機器認証機能部１５と、位置情報部１６と、通信部１７とから構成されている。
【００４４】
デジタル信号インタフェース部１２は、モデムカード内信号の規格化と、アプリケーション機器側との間でパケットデータならびに音声データ等の信号の入出力を行うためのインタフェースである。
【００４５】
電源制御部１３は、図示略の充電器、好ましくは、電気二重層コンデンサ等の高容量充電器（Power Cap）を含んで当該モデムカード１０内のすべての機能ブロックに各デバイスに安定した電源供給を行う。
【００４６】
制御部１４は、内部ブロックの制御を行う。
【００４７】
利用者／機器認証機能部１５は、ＳＩＭ／ＵＩＭ／ＩＣカード等の利用者認証、機器認証の処理を行う認証部となる。
【００４８】
この利用者／機器認証機能部１５により、当該モデムカード１０はＳＩＭ機能を備える。
【００４９】
位置情報部１６は、測位衛星信号受信用アンテナ部１６ａと、測位衛星信号受信部１６ｂと、測位アルゴリズム処理部１６ｃとから構成されている。測位衛星信号受信用アンテナ部１６ａはＧＰＳ衛星等の測位信号のＲＦ搬送波を受信する小型アンテナである。測位衛星信号受信部１６ｂはＧＰＳ衛星等の衛星信号のＲＦ搬送波に対する受信処理を行う。測位アルゴリズム処理部１６ｃはＧＰＳ衛星から送信され衛星信号を処理し、モデムカード１０を挿入したアプリケーション機器の位置情報を割り出す。
【００５０】
位置情報部１６は、上記構成を備えたことにより、ＧＰＳ機能を備える。
【００５１】
通信部１７は、公衆無線信号送受信用アンテナ部１７ａと、公衆無線信号ＲＦトランシーバ部１７ｂとから構成されている。公衆無線信号送受信用アンテナ部１７ａは、公衆無線信号のＲＦ搬送波を送受信する小型アンテナである。公衆無線信号ＲＦトランシーバ部１７ｂは公衆無線信号のＲＦ搬送波に対する送受信処理を行う。
【００５２】
なお、各ブロック間の実線で示す接続線の矢印は各種信号の流れ、破線で示す接続線の矢印は電源制御を示す。
【００５３】
以上の構成を備えたモデムカード１０をアプリケーション機器のメモリカードスロットに挿入することにより、モデムカード１０が挿入されたアプリケーション機器は、直接、公衆無線ネットワークへアクセスすることができるようになり、当該モデムカード１０を利用して、通信事業者とは１契約でありつつ、複数のアプリケーション機器による公衆無線ネットワーク通信が可能となる。
【００５４】
また、上記モデムカード１０においては、公衆無線ネットワーク通信機能を必要とするアプリケーション機器のメモリカードスロットに挿入して接続することにより、公衆無線ネットワーク機能を有する携帯電話端末と共通使用することが可能となる。
【００５５】
また、上記モデムカード１０においては、パケット通信、音声通信、システム電源の安定、上記通信のためのインタフェース、携帯電話システムの加入者認証機能を含むＳＩＭ、携帯電話自体の位置情報を衛星から取得するＧＰＳ、などの機能を備え、アプリケーション機器に無線接続することが可能となる。
【００５６】
また、上記モデムカード１０を利用するシステムは、モデムカード１０をアプリケーション機器のメモリカードスロットから取り出した場合に、制御部１４は、電源制御部１３と、位置情報部１６、通信部１７、利用者／機器認証機能部１５を制御して、モデムカード１０内部の充電電力で一定期間内、着信等の利用者が所望する機能を保持すること、また、予め認知手続きを経ることなく、メモリカードスロットから取り出した場合に、モデムカード１０内部の充電電力により、第三者に通知することができる機能、着信記録をモデムカード１０内に記録し、かつ、モデムカード１０を他のアプリケーション機器に装着した場合でも、その記録をベースにして着信相手に送信することができる機能、等を制御する。
【００５７】
なお、図２を参照して、制御部１４と通信部１７の構成の概略を示す。制御部１４は、たとえばＤＳＰ（デジタル・シグナル・プロセッサ）３１と、ＣＰＵ３２と、ＳＲＡＭ(スタティック・ランダム・アクセス・メモリ)３３と、フラッシュメモリ３４と、Ａ／Ｄ変換器３５と、ＰｒｅＦｉｌｔｅｒ(プレ・フィルタ)３６と、Ｄ／Ａ変換器３７と、ＰｏｓｔＦｉｌｔｅｒ(ポスト・フィルタ)３８とにより構成されている。
【００５８】
通信部１７は、公衆無線信号送受信用アンテナ部１７ａと、公衆無線信号ＲＦトランシーバ部１７ｂとを備える。公衆無線信号ＲＦトランシーバ部１７ｂは、Ｒｘ（受信機）４１と、ＬＮＡ（ロー・ノイズ・アンプ）４２と、Ｔｘ（送信機）４３と、ＰＡ（パワー・アンプ）４４と、公衆無線信号送受信用アンテナ部１７ａによる送信／受信を切替えるＳＷ(スイッチ)４５とにより構成されている。
【００５９】
通信部１７では、切替えＳＷ４５が受信側（Ｒｘ）に切替えると、公衆無線信号送受信用アンテナ部１７ａで受信した信号は公衆無線信号ＲＦトランシーバ部１７ｂ内に入力される。公衆無線信号ＲＦトランシーバ部１７ｂにおいて、受信信号は、ＬＮＡ（ロー・ノイズ・アンプ）４２で増幅されてＲｘ（受信機）４１で受信処理されたうえで、制御部１４に与えられる。制御部１４では、プレ・フィルタ３６で受信信号にフィルタ処理してＡＤ変換器３５でＡＤ変換してＤＳＰ３１に入力する。ＤＳＰ３１ではその受信信号をＤＳＰ処理したうえで、デジタル信号インタフェース部１２に出力する。また、制御部１４では、デジタル信号インタフェース部１２からのデジタル信号をＤＳＰ３１が入力すると、所要のＤＳＰ処理をしたうえでＤＡ変換器３７でＤＡ変換したのちポスト・フィルタ３８でフィルタ処理して通信部１７に出力する。通信部１７では、切替えＳＷ４５が送信側（Ｔｘ）に切替えると共に、公衆無線信号ＲＦトランシーバ部１７ｂのＴｘ（送信機）４３、ＰＡ（パワー・アンプ）４４と、公衆無線信号送受信用アンテナ部１７ａを経て送信する。
【００６０】
以上の構成において、制御部１４は、ＣＰＵ３２、ＳＲＡＭ３３、フラッシュメモリ３４により、上記機能を実行することができるように構成されている。
【００６１】
制御部１４や通信部１７の説明は上記にとどめ詳細を略するが、制御部１４内のＳＲＡＭ３３やフラッシュメモリ３４には着信状態、着信履歴が記憶される。
【００６２】
図３を参照してモデムカード１０のハードウェアを説明する。図３は当該モデムカード１０の側面を破断した斜視図を示す。接続端子部１１の図示は略している。本実施の形態におけるモデムカード１０は、各種アプリケーション機器のＳＤメモリカードと同じ形状のメモリカードスロットに差し込んで使用するＳＤＩＯモデムカードである。
【００６３】
５１はデジタル信号インタフェース部１２に対応するＳＤＩＯＬＳＩである。
【００６４】
５２は制御部１４に対応するＢＢ(ベースバンド)ＬＳＩである。
【００６５】
５３は電源制御部１３に対応する、電源をレギュレート制御するためのＰＭ(パワー・マネジメント)ＩＣである。
【００６６】
５４は通信部１７に対応するＲＦモジュールである。
【００６７】
５５は位置情報部１６に対応するＧＰＳレシーバである。
【００６８】
５６は利用者／機器認証機能部１８に対応するＳＩＭである。ＳＩＭ５６には、加入権情報（電話番号）が書き込まれており、メーカサイドで書き込みが行えるように着脱可能となっている。
【００６９】
５７はＰｏｗｅｒＣａｐ(電気二重層コンデンサ)である。
【００７０】
５８はＡＮＴ(アンテナ)である。このアンテナ５８は、位置情報部１６と通信部１７それぞれのアンテナ１６ａ，１７ａに該当する。
【００７１】
図４に、実施の形態のモデムカード１０を用いたモデムカード利用システムの一例としてデジタル家電ユビキタスネットモデムカード利用システムを示す。携帯電話機６１のメモリカードスロットからモデムカード１０を抜き取り、ＰＣ６２、ＰＤＡ６３、カーナビゲーション装置６４、ゲーム機６５、ビデオカメラ６６、デジタルカメラ６７等のアプリケーション機器のカードスロット（例えば、ＳＤメモリカードスロット）に装着する。
【００７２】
すなわち、各アプリケーション機器６１−６７は、モデムカード１０を装着するために共通した構造のカードスロットを有しており、モデムカード１０を装着することで、アプリケーション機器６１−６７を、直接、公衆無線ネットワークに接続できるようになり、音声通信やデータ通信を行うことができる。
【００７３】
実施の形態のモデムカード１０を用いると、当該モデムカード１０内部が備えるＳＩＭ機能により、携帯電話機６１の使用にあたって通信事業者と単数契約した後は、そのモデムカード１０を携帯電話機６１はもちろんのこと、他の複数のアプリケーション機器６２−６７それぞれのカードスロットに挿入するのみで、それぞれのアプリケーション機器６２−６７は公衆無線ネットワーク通信が可能となる。
【００７４】
このように、通信事業者と契約した公衆無線ネットワーク通信機能を有するモデムカード１０を、公衆無線ネットワーク通信機能を必要とするアプリケーション機器６２−６７に接続することにより、公衆無線ネットワーク通信機能を携帯電話機６１と共通使用することができる。よって、通信事業者との１回線契約のみで各アプリケーション機器６１−６７にて音声通信ならびにデータ通信が可能となり、電話番号等の加入権情報の管理が容易となり、しかも通信事業者との契約のみで済むため安価である。
【００７５】
また、ＧＰＳ機能を有したモデムカード１０を携帯電話機６１、アプリケーション機器６２−６７に装着することで、携帯電話機６１において提供する現在位置の情報を、各アプリケーション機器６２−６７においても無料で提供することができる。しかも、位置情報部１６はモデムカード１０に内蔵されているので、アプリケーション機器６２−６７の大型化を招くこともない。
【００７６】
また、モデムカード１０は、デジタル情報を扱うので、デジタル信号インタフェース部１２を介して携帯電話機６１を含むアプリケーション機器６２−６７との間で入出力されるデータがクリアである。さらに、ＳＤＩＯモデムカードであるので、モデムカード１０の小型化が図れ、その結果、携帯電話機６１を含めアプリケーション機器６２−６７の小型化も図ることができる。
【００７７】
以上の基本構成に加え、以下の機能保全、着信履歴保持、異常時の機能停止／通知、大容量メモリの各構成を随時付加できる。
【００７８】
まず、機能保全について説明する。
【００７９】
モデムカード１０を携帯電話機６１以外のアプリケーション機器（モバイルデジタル家電）６２−６７に装着する場合、基本的には、アプリケーション機器６２−６７では、パケットデータ通信には対応するものの、音声通信には対応しきれないケースが想定できる。このような場合には、モデムカード１０を音声通信可能なアプリケーション機器（例えば、携帯電話機６１）に差し替えるまで、しばらくは着信状態を維持し、差し替えた後は即通話できるようにする。なお、系内のＰｏｗｅｒＣａｐ５７には一定の電荷が充電されているものとする。具体的には、音声通信に対応していないアプリケーション機器６２−６７にモデムカード１０が挿入されているときに、音声通信の着信を受けることがある。モデムカード１０は公衆無線信号送受信用アンテナ部１７ａで着信を検知し、公衆無線信号ＲＦトランシーバ部１７ｂから制御部１４に着信のあったことが通知され、記憶部となるＳＲＡＭ３３内のレジスタに着信状態が設定される。公衆無線信号ＲＦトランシーバ部１７ｂが着信を検知している間、レジスタの着信状態は設定されたままになり、着信が切れると設定は解除される。
【００８０】
なお、ＰｏｗｅｒＣａｐ５７はモデムカード１０の電源供給を安定に実施することを目的とし、具体的には、送信時の瞬時電力はモデムカード１０内に供給される電力の最大定格を超える場合が頻繁にあり、非送信時には定常的にＰｏｗｅｒＣａｐ５７内に電力を蓄え、送信最大電力がカード内供給平均電力を超える場合にＰｏｗｅｒＣａｐ５７内に蓄電した電力を使用することにより、カード外から供給される平均許容電力を超えないように設計する目的で配備されるものである。
【００８１】
アプリケーション機器６２−６７からモデムカード１０が抜かれると、モデムカード１０はそれを検知するとともに、ＣＰＵ３２の命令により電源部となるＰｏｗｅｒＣａｐ５７からＰＭＩＣ５３に電力を供給する。ＰＭＩＣ５３はＳＲＡＭ３３と公衆無線信号ＲＦトランシーバ部１７ｂとに電力を供給し、モデムカード１０の着信状態を維持する。
【００８２】
その後、モデムカード１０が音声通信対応の機器（例えば、携帯電話機６１）に接続されると、モデムカード１０はそれを検知するとともに、ＣＰＵ３２はＳＲＡＭ３３内の着信状態設定用のレジスタを確認する。着信状態が検出された場合には、ＣＰＵ３２の命令によりモデムカード１０からアプリケーション機器６１側に着信状態が通知され、ユーザは即座に会話を始めることが可能となる。
【００８３】
なお、上記の例では、アプリケーション機器の保全する機能が、音声通信による着信状態であったが、これに限るものではなく、例えばパケットデータ通信に対応していないアプリケーション機器における当該パケットデータ通信の着信状態を保持するものであってもよい。具体的には、音楽や映像ダウンロードサイトからの新譜情報ならびに新着情報が着信し、無料お試しコンテンツであった場合、即座にダウンロードを開始したい場合がある。その場合に、当該モデムカードが装着されているアプリケーション機器がダウンロード後、当該コンテンツを再生するにはふさわしくない場合には、着信状態を維持したまま装着先を再生にふさわしいアプリケーション機器に変更することで、当該コンテンツを再生することが可能になる。
【００８４】
次に、着信履歴保持について説明する。
【００８５】
音声通信に対応していないアプリケーション機器を使用中に、音声通信の着信があった場合、あるいは音声通信に対応したアプリケーション機器を使用時でも、即座に着信応答ができないケースが想定できる。そのような場合には、該モデムカード１０内に着信記録を記憶させておき、後で音声通信対応可能な機器に接続することで、折り返し通話をできるようにする。
【００８６】
具体的には、音声通信に対応していないアプリケーション機器６２−６７にモデムカード１０が挿入されているときに、音声通信の着信を受け、即座には応答できないことがある。モデムカード１０は公衆無線信号送受信用アンテナ部１７ａで着信を検知し、公衆無線信号ＲＦトランシーバ部１７ｂから制御部１４に着信のあったことが通知され、記憶部となるフラッシュメモリ３４内に着信番号、日時などが記録され、着信履歴が維持される。
【００８７】
その後、モデムカード１０が音声通信対応の機器（例えば、携帯電話機６１）に接続されると、モデムカード１０はそれを検知するとともに、フラッシュメモリ３４内の着信履歴データの有無を確認する。着信履歴が検出された場合には、ＣＰＵ３２の命令によりモデムカード１０からアプリケーション機器６１側に着信履歴情報が通知され、ユーザは折り返し通話をすることができる。
【００８８】
次に、異常時の機能停止／通知について説明する。
【００８９】
モデムカード１０がアプリケーション機器側の所定の手続きを踏まずに脱抜きをされた場合、異常脱抜きを検出したことを所定の機関に通知し、該モデムカード１０の機能の停止等を行う（盗難防止用機能）。
【００９０】
例えば、モデムカード１０はＳＩＭ機能部内ＩＣチップにＩＣカード機能も保持させることができるため、アプリケーション機器側の所定の手続きを踏まずに該モデムカード１０の脱抜きをした場合に、その事実が検知部となる制御部１４に入力され、制御部１４は通知部となる公衆無線信号ＲＦトランシーバ部１７ｂならびに公衆無線信号送受信用アンテナ部１７ａを介して、ＩＣカード機能を提供するカード会社等の課金決裁を行う会社（所定の機関）へ通知を行う。その場合、所定時間内に「盗難ではない」などの申告がなければ、ＩＣカード機能、ＳＩＭ機能を停止させる。具体的には、モデムカード１０から発信された異常情報をカード会社が着信し、利用者情報ならびに異常情報を自動的に検出する。その後カード会社では、当該モデムカード内ＩＣカード機能／ＳＩＭ機能停止の準備を行うとともに、利用者へあらかじめ設定されたなんらかの手段で通知する。その後ある一定時間内に、利用者から「異常ではない」などの申告がない場合は、完全機能停止を実施する。また、機能停止準備段階でのＩＣカード機能やＳＩＭ機能の利用者による実行時に、カード会社から「異常検出」の通知を行うこともでき、その時になんらかの本人認証を経て、「異常ではない」の申告を行うこともできる。
【００９１】
また、会社法人等で機密を取り扱う社員が保持するモデムカード１０が盗難に遭った場合などに、アプリケーション機器側の所定の手続きを経ずに該モデムカード１０が脱抜きされた場合、その事実が検知部となる制御部１４に入力され、制御部１４は通知部となる公衆無線信号ＲＦトランシーバ部１７ｂならびに公衆無線信号送受信用アンテナ部１７ａを介して、該モデムカード１０の無効化申請が該会社法人（所定の機関）側に通知され、所定時間内に該モデムカード１０の無効化がなされる。具体的には、該モデムカード１０を装着するアプリケーション機器のセキュリテイレベルにもよるが、高セキュリテイが要求される場合には、脱抜きされた直後即座にＩＣカード会社と連携し無効化処理を施す。また場合によっては、無断脱抜きによる無効化申請が発信され、ある一定時間内に該会社法人（所定の機関）もしくはカード会社へ、本人認証を経て申告がない場合には自動的に無効化処理を施す。
【００９２】
なお、上記機能保全、着信履歴保持の例においては、着信状態や着信履歴が制御部１４内のＳＲＡＭ３３やフラッシュメモリ３４に記憶されるものであったが、制御部１４外のＳＲＡＭやフラッシュメモリに記憶させるようにしてもよい。
【００９３】
次に、大容量メモリ搭載について説明する。
【００９４】
モデムカードを接続する複数の端末において共通のデータを利用できる場合に、モデムカード内に大容量メモリを設け、通信部を介してインターネットから取得したデータを大容量メモリ内に格納し、モデムカードを接続した各々の端末にデータを転送することにより、カードの差し替えのみによって任意の複数の機器間で共通データ利用を実現する。このとき、位置情報部を介してモデムカードの所有者の現在位置情報を取得し、大容量メモリに格納されたデータの中から、現在位置情報に依拠したデータを選択し、端末側に転送する。
【００９５】
具体的には、図４、５に示すようなデジタルカメラ６７に挿入されたメモリカード１０が、通信部１７を介してインターネットからデータを取得し、取得したデータを大容量メモリ１８に格納する。このとき取得されたデータは、例えば図６に示すような観光スポット情報に、その観光スポットが存在する地理的位置（緯度／経度）の情報を対応させたデータベースである。ユーザがデジタルカメラ６７に搭載のアプリケーションに対して所定の操作を行うと、デジタルカメラ６７側からモデムカード１０に対し、現在位置に依拠した情報を提供するよう要求が出される。この要求を受けてモデムカード１０は、位置情報部１６を介して得られた位置情報に依拠した観光スポットの情報を、大容量メモリ１８からデジタルカメラ６７のアプリケーションに転送される。例えば、位置情報部１６を介して現在位置の緯度／経度情報「48.85／2.35」が取得されると、大容量メモリ１８内のデータベースにおいて得られた位置情報に最も近い観光スポットである「ノートルダム寺院」が選択され、観光スポット名称および付加情報がデジタルカメラ６７に転送される。デジタルカメラ６７のモニタには図７に示すような、大容量メモリ１８から転送された情報に基づいた表示がなされる。
【００９６】
図７に示す例では、モニタに表示されるのは大容量メモリ１８から取得された文字情報のみであるが、端末側で保持するコンテンツに、大容量メモリ１８に格納された情報のうちユーザが指定した任意の情報を付記する形で表示してもよい。例えば、デジタルビデオカメラ６６で動画撮影中に、撮影地点に依拠する情報をモデムカード１０からカメラ６６側に転送し、その情報を撮影中の画像に重ね合わせるなどして表示することができる。図８のデジタルビデオカメラ６６では、撮影中の動画と共に、撮影ポイントに関連する説明文をテロップとしてモニタに表示している。
【００９７】
上記の例においてはモデムカード１０の通信部１７を介して大容量メモリ１８内にデータを取り込んだが、モデムカード１０をＰＣ等の任意の機器を介して予め大容量メモリ１８にデータを取り込んでおいてもよい。
【００９８】
また、大容量メモリ１８の容量によって、格納する情報の種類やその情報量を増減することが可能である。
【００９９】
なお、図５は大容量メモリ１８搭載時特有の実施の形態を説明するために最低限必要なブロックのみを図示したものであり、モデムカード１０の基本的な構成および動作は図１に示したものと同様である。
【０１００】
上述のデジタルカメラ６７およびデジタルビデオカメラ６６の例にもあるように、本発明のモデムカード１０を利用したシステムにおいては、複数の端末がモデムカード１０に対応したハードウェア、ソフトウェア等の仕様を備える場合には、モデムカード１０をデジタルカメラ６７からデジタルビデオカメラ６６に差し替えることのみにより、大容量メモリ１８に記録された情報を共通利用することが可能である。図４に示す携帯電話機６１など他の端末についても同様である。また、デジタルビデオカメラ６６などユーザ所有の端末でユーザ自らが製作するコンテンツに対し、モデムカード１０から転送された情報（緯度経度データのみならず、近隣有名土地情報など）を組み合わせて端末内に記憶させることも可能になる。その結果、ユーザはユーザが製作した単なるコンテンツと比較してはるかに付加価値の高い情報を得ることとなり、さらにはその情報をコンテンツプロバイダなどに提供することにより、プロバイダ側のコンテンツの価値向上も期待できる。
【産業上の利用可能性】
【０１０１】
本発明のモデムカードとそれを用いたモデムカード利用システムは、携帯電話機、ＰＣ、ＰＤＡ、デジタルカメラ、ゲーム機等のＶｏＩＰ端末はじめ各種ＡＶ機器に適用できる。
【図面の簡単な説明】
【０１０２】
【図１】本発明の実施の形態におけるモデムカードのブロック図である。
【図２】図１の制御部と通信部とのブロック図である。
【図３】図１のモデムカードのハードウェア構成の破断斜視図である。
【図４】図１のモデムカードを用いたシステムの説明図である。
【図５】図１のモデムカードに大容量メモリを搭載した図である。
【図６】大容量メモリに格納されるデータの例を示す図である。
【図７】図５のモデムカードを用いたシステムの説明図である。
【図８】図５のモデムカードを用いたシステムの説明図である。
【符号の説明】
【０１０３】
１０  モデムカード
１１  接続端子部
１２  デジタル信号インタフェース部
１３  電源制御部
１４  制御部
１５  利用者／機器認証機能部（認証部）
１６  位置情報部
１６ａ  測位衛星信号受信用アンテナ部
１６ｂ  測位衛星信号受信部
１６ｃ  測位アルゴリズム処理部
１７  通信部
１７ａ  公衆無線信号送受信用アンテナ部
１７ｂ  公衆無線信号ＲＦトランシーバ部
１８  大容量メモリ
【図１】
2008017440.tif 000003
【図２】
2008017440.tif 000004
【図３】
2008017440.tif 000005
【図４】
2008017440.tif 000006
【図５】
2008017440.tif 000007
【図６】
2008017440.tif 000008
【図７】
2008017440.tif 000009
【図８】
2008017440.tif 000010